(57)【要約】      （修正有）【課題】開封時にユーザが緩衝材、または被梱包物の上下を判断することができ、また、簡易的に外装箱から梱包体を取り出すことで、開梱時の製品破損を防ぐことができる梱包体を提供する。【解決手段】下側緩衝ブロック１１の開口部に臨む側面において少なくとも上側が下側段差部となる下側凹部１３を形成し、上側緩衝ブロック１０の開口部に臨む側面において少なくとも下側が上側段差部となる上側凹部１２を形成し、前記下側凹部１３と前記上側凹部１２の一方の横幅を他方の横幅よりも大きくすることで、ユーザが梱包体の凹部の形状を見ただけで意識することなく緩衝材、または被梱包物の上下を判断することができるようになる。【選択図】図２
2019051984.tif 000002
【特許請求の範囲】
【請求項１】
側方に開口部を有する外装箱と、
被梱包物を間に挟んだ状態で上下に重ねられる上側緩衝ブロックと下側緩衝ブロックからなり前記開口部から前記外装箱の内部に挿入される緩衝ブロック体とを備え、
前記下側緩衝ブロックの前記開口部に臨む側面において少なくとも上側が下側段差部となる下側凹部を形成し、
前記上側緩衝ブロックの前記開口部に臨む側面において少なくとも下側が上側段差部となる上側凹部を形成し、
前記下側凹部と前記上側凹部の一方の横幅を他方の横幅よりも大きくしたことを特徴とする梱包体。
【請求項２】
前記下側凹部の横幅を前記上側凹部の横幅よりも大きくしたことを特徴とする請求項１記載の梱包体。
【請求項３】
下側段差部から上側段差部までの高さ寸法を被梱包物の高さ寸法よりも小さくしたことを特徴とする請求項1記載の梱包体。
【請求項４】
前記上側緩衝ブロックの上側に少なくとも１つ凹部を設けることを特徴とする請求項1記載の梱包体。
【発明の詳細な説明】
【技術分野】
【０００１】
本発明は、外装箱から緩衝材に収納された被梱包物を取り出す際に緩衝材、または被梱包物の上下を判別することができる梱包体に関するものである。
【背景技術】
【０００２】
従来、電子機器やガラス製品、精密機械製品などのような外部衝撃を嫌う被梱包物を梱包する梱包体は、これら被梱包物が発泡ポリスチロールなどから形成された緩衝材に収納された状態、または緩衝材を少なくとも２つ重ねて被梱包物を挟んだ状態で外装箱内に収納されているのが一般的である。
【０００３】
また、例えば特許文献1のように、緩衝材の側面部に手指による挟持用の凹部を設けることで外装箱と緩衝材の間に空間部を形成することができ、外装箱から緩衝材を取り出し易い梱包体の構造が提案されている。
【先行技術文献】
【特許文献】
【０００４】
【特許文献１】実開昭63-049385
【発明の概要】
【発明が解決しようとする課題】
【０００５】
しかしながら、特許文献１に開示された梱包体では、外装箱側面を開いて緩衝材を確認しても、緩衝材を重ねて被梱包物を保護しているような場合、緩衝材のどちらが上で、どちらが下であるのか判別ができない。これにより、本来下側にあるはずの緩衝材が上側になってしまっている状態で外装箱から緩衝材を取り出し、この状態のまま緩衝材を開梱すると、一般的に下側の緩衝材の方が堀は深かく、被梱包物の固定に優れていることから一時的に下側の緩衝材にくっついているような状態になるが、被梱包物にかかる重力により被梱包物が落下してしまうことがあった。また、上側の緩衝材に付属品の収納スペースを確保しているような場合、付属品等が落下してしまうこともある。そして、その落下の衝撃により最悪の場合、破損してしまうという問題があった。
【０００６】
さらに、梱包体のサイズが大きくなると、外装箱から緩衝材を取り出す際にユーザは、外装箱のフタを開けて緩衝材を両手で取り出すか、外装箱の開けた方を地面に接地させ、そのまま上方向へ持ち上げながら外装箱から緩衝材を取り出すことが考えられるが、この場合についても同様に製品の破損を招く恐れがある。
【０００７】
本発明は、上述の問題に対してユーザが緩衝材、または被梱包物の上下を判断でき、また、容易に外装箱から緩衝材を取り出すことで開梱時の製品破損を防ぐことができるようにすることを目的としている。
【課題を解決するための手段】
【０００８】
本発明の梱包体は、側方に開口部を有する外装箱と、被梱包物を間に挟んだ状態で上下に重ねられる上側緩衝ブロックと下側緩衝ブロックからなり、開口部から外装箱の内部に挿入される緩衝ブロック体とを備える。下側緩衝ブロックの開口部に臨む側面において少なくとも上側が下側段差部となる下側凹部を形成し、上側緩衝ブロックの開口部に臨む側面において少なくとも下側が上側段差部となる上側凹部を形成し、前記下側凹部と前記上側凹部の一方の横幅を他方の横幅よりも大きくしたことを特徴とする。
また、前記下側凹部の横幅を前記上側凹部の横幅よりも大きくしたことを特徴とする。
【発明の効果】
【０００９】
この発明によれば、下側緩衝ブロックにおける凹部の横幅を上側緩衝ブロックの凹部の横幅より大きくなるようにしたので、ユーザが意識することなく上側緩衝材に親指、下側緩衝材にその他の指をかけ、長手方向に向けて引き出すことが出来るようになり、上部添付品、内部製品の落下の危険性を低減することができる。下側緩衝ブロックにおける凹部の横幅と上側緩衝ブロックの凹部の横幅が異なるので、ユーザは上下の区別をすることができる。
【図面の簡単な説明】
【００１０】
【図１】実施の形態１に係る梱包体の構成例を示す斜視図である。
【図２】図１の外装箱から取り出した状態を示す斜視図である。
【図３】実施の形態１の内部を示す図である。
【図４】実施の形態２に係る梱包体の構成例を示す斜視図である
【発明を実施するための形態】
【００１１】
（実施の形態１）
以下、図面を参照しながら本発明の実施形態について詳細に説明する。図１に示すように本発明の梱包体１００は外装箱１１０と緩衝ブロック体１２０を備えている。  
【００１２】
図２は外装箱１１０から緩衝ブロック体１２０を取り出した状態を示す斜視図である。緩衝ブロック体１２０は上側緩衝ブロック１０と下側緩衝ブロック１１より構成されている。また、上側緩衝ブロック１０の側面には上側凹部１２が形成される。なお、上側凹部１２は、図２のように凹部の上側が開放されているような場合にその凹部における底面に段差部１２ａを形成している。同様に、下側緩衝ブロック１１の側面においても下側凹部１３を形成しており、下側凹部１３は、図２のように凹部の下側が開放されているような場合にその凹部における天面に段差部１３ａを形成している。なお、ここでいう段差部は、梱包体側面に対して直角である必要は無く、傾斜がかっているものや、段差部に人の指を引っ掛けられる形状に形成されているものも含む。
【００１３】
さらに下側凹部１３の横幅Ｂは上側凹部１２の横幅Ａよりも広くなるように形成している。これは、一般的に人が板のような比較的細い形状の重量物を持ち上げる際、手のひらを上にして親指以外のその他の指を重量物の下側に当てがい、上側に親指を当て、重量物を持とうとする。本発明はこの性質を利用しており、上側凹部１２の横幅Ａより下側凹部１３の横幅Ｂを広くなるように形成することで、ユーザが緩衝材の凹部の形状を見ただけで意識することなく緩衝材の上下を判断することができるようになる。なお、上側凹部１２の横幅Ａは親指だけが入るようなサイズの幅であると、より上下を判断しやすくなるため望ましい。しかし、実施する際はそれに捉われることなくことはなく、下側凹部１３の横幅Ｂは上側凹部１２の横幅Ａよりも広くなるように形成できていればよい。こうすることで、ユーザは緩衝材の上下を判別することができる。
【００１４】
図３は梱包体１２０に被梱包物２０を収容した状態を表した図である。被梱包物２０については電子機器やガラス製品、精密機械製品などのような外部衝撃を嫌うような物品が想定されるが、今回は被梱包物をスピーカとして説明する。
【００１５】
図３における被梱包物２０のスピーカの高さ寸法をＣ、上側緩衝ブロック１０と下側緩衝ブロック１１が重なっておる状態における上側凹部１２と下側凹部１３との間の長さをＤとして表す。上側凹部１２と下側凹部１３との間の長さＤは被梱包物２０の高さ寸法Ｃより狭くなるように形成されている。これにより、安定して、かつ、容易に外装箱１１０から緩衝ブロック体１２０を取り出すことができる。また、上側凹部１２と下側凹部１３との間の長さＤはユーザが片手で掴める範囲であると、さらに取り出しが容易になる。
【００１６】
（実施の形態２）
図４では本実施例の上側緩衝ブロック１０の天端に天端凹部３０を形成させた図である。天端凹部３０には説明書や製品本体に用いられるアクセサリなどの付属品３１を梱包することができる。これは、従来であると上側緩衝ブロック１０がどちらなのか分からないため、外装箱から取り出した際に、天端凹部３０が下方向にあった場合に付属品３１は落下してしまうが、本発明によればどちらが上側緩衝ブロック１０なのか判別できるので、天端を有効活用することができるようになるのである。
【００１７】
以上、本発明の実施の形態について説明してきたが、この発明は上記実施の形態に限定されるものではなく様々な変形が可能である。以下では、このような変形例について説明する。上記実施の形態及び以下で説明する形態を含む全ての形態は、適宜に組み合わせ可能である。
【００１８】
上記実施の形態では、図２のように緩衝ブロック体１２０に上側凹部１２と下側凹部１３を設ける際に、上側凹部１２を形成する場合は上方向に開放し、下側凹部１３を形成する場合は下方向に開放しているが、開放していないような形状に形成してもよい。また、上側凹部１２と下側凹部１３は溝構造に限らず、内部に貫通しているような構造であってもよい。
【００１９】
また、上記実施の形態において、上側凹部１２と下側凹部１３に形成される段差部１２ａ、１３ａの形状を掴み易くなるように人の指の形状に近似した溝構造にしてもよい。
【００２０】
また、上記実施の形態では、片側に本発明のような凹部を有する緩衝ブロックの側面を示したが、これは、外装箱が開口している面に対して形成されていればよいため、緩衝ブロックの片側、または両側の少なくとも一方に形成されていればよい。
【００２１】
上記以外にも、本発明はその発明の範囲内において、実施の形態の任意の構成要素の変形、または実施の形態の任意の構成要素の省略が可能である。
【産業上の利用可能性】
【００２２】
本発明は、外部衝撃を嫌うような梱包物を梱包する梱包体に利用可能である。本発明の利用により、外装箱を開封した際に緩衝材の上下を把握することができるようになるため、開封時の落下による製品の損傷を防げる梱包体を提供することができる。
【符号の説明】
【００２３】
１０                            上側緩衝ブロック
１１                            下側緩衝ブロック
１２                            上側凹部
１３                            下側凹部
１２ａ、１３ａ                  段差部
２０                            被梱包物
３０                            天端凹部
３１                            付属品
１００                          梱包体
１１０                          外装箱
１２０                          緩衝ブロック体
【図１】
2019051984.tif 000003
【図２】
2019051984.tif 000004
【図３】
2019051984.tif 000005
【図４】
2019051984.tif 000006